(57)【要約】【課題】  アンカーケーブルの定着部分背後にクラック等が生じ、コンクリート構造物が損傷することなく、工期及び施工費を削減することを課題とする。【解決手段】  コンクリート構造物の永久アンカーを用いた補強方法であって、アンカーケーブルを挿入するケーブル挿通孔を設ける工程、該ケーブル挿通孔のアンカーケーブル挿入口側に、該ケーブル挿通孔の孔径よりも大きな径の空間を設ける工程、該空間の内部に該ケーブル挿通孔と略同径のケーブル挿通管を設ける工程、該空間の内部であって該ケーブル挿通管の周囲に補強筋を配置する工程、該ケーブル挿通管の周囲にコンクリートを打設する工程、該ケーブル挿通管を通して該ケーブル挿通孔にアンカーケーブルを挿入する工程、該ケーブル挿通孔にグラウトを充填する工程、及び、該アンカーケーブルに張力をかけて定着させる工程を有することを特徴とするコンクリート構造物の補強方法。【選択図】      図９
2006219829.tif 000002
【特許請求の範囲】
【請求項１】
コンクリート構造物の永久アンカーを用いた補強方法であって、アンカーケーブルを挿入するケーブル挿通孔を設ける工程、該ケーブル挿通孔のアンカーケーブル挿入口側に、該ケーブル挿通孔の孔径よりも大きな径の空間を設ける工程、該空間の内部に該ケーブル挿通孔と略同径のケーブル挿通管を設ける工程、該空間の内部であって該ケーブル挿通管の周囲に補強筋を配置する工程、該ケーブル挿通管の周囲にコンクリートを打設する工程、該ケーブル挿通管を通して該ケーブル挿通孔にアンカーケーブルを挿入する工程、該ケーブル挿通孔にグラウトを充填する工程、及び、該アンカーケーブルに張力をかけて定着させる工程を有することを特徴とするコンクリート構造物の補強方法。
【請求項２】
コンクリート構造物から、ケーブル挿通孔のアンカーケーブル挿入口側に設けられた空間にわたって、横鉄筋を配置する工程を有する請求項１に記載のコンクリート構造物の補強方法。
【請求項３】
補強筋を配置する工程が、補強筋を有するコンクリートブロックをケーブル挿通管の周囲に配置することによってなされる請求項１に記載のコンクリート構造物の補強方法。
【請求項４】
ケーブル挿通管の周囲に打設されたコンクリートが３０ｋＮ／ｍｍ2以上の強度を有する請求項１から請求項３のいずれか一項に記載のコンクリート構造物の補強方法。
【請求項５】
ケーブル挿通孔のアンカーケーブル挿入口側に設けられた空間内に、アンカーヘッド及び防食キャップを収めた請求項１から請求項４のいずれか一項に記載のコンクリート構造物の補強方法。
【発明の詳細な説明】
【技術分野】
【０００１】
本発明は、永久アンカーを用いてプレストレスを導入するコンクリート構造物の補強方法に関する。より詳しくは、ダムコンクリート構造物、コンクリート製防潮堤、コンクリート製防波堤、ＬＮＧタンク用のハイダイク等のコンクリート構造物において、永久アンカーのアンカーケーブルの定着部分を補強することにより、永久アンカー１本当たりの容量が大きくなっても提体が損傷しないようにした補強方法に関する。
【背景技術】
【０００２】
昨今、種々の建築物等において、耐震強度の向上等を目的として、特許文献１に示すような永久アンカーを用いた補強工事が行われている。
また、ダムや防波堤等においても、一般建築物等と同様に補強工事が必要な場合が考えられる。該補強工事が必要な場合としては、例えば、従来予想されていなかった大規模地震に対応できるように既存のダムコンクリート構造物の耐震強度を向上させるための補強の必要性や、砂れきが堆積したダムにおいて湛水量を確保するために堰堤のかさ上げを行うことに伴う補強の必要性、ダムコンクリート構造物の経年劣化に伴う補強の必要性、高波に対する防波堤の補強などが挙げられる。
【０００３】
従来から用いられているダムコンクリート構造物１１の補強方法としては、図１に示すような既存の提体の下流側に、更に補強用コンクリート構造物１２を腹付けして、ダムの厚みを厚くする方法が挙げられる。これは、ダム提体の重量を重くすることにより、ダム提体の耐力を向上させる方法である。
しかしながら、既存のダムコンクリート構造物１１（提体）の下流側に更に補強用コンクリート構造物１２を腹付けする方法は、補強用コンクリート構造物１２を建設するための土地の整備等からはじめなくてはならず、多大な工期と費用が必要であるという問題があった。
【０００４】
そこで、一般建築物等と同様に、ダムコンクリート構造物や防波堤、一般のコンクリート建築物等においても、図２に示すような既存の提体等のコンクリート構造物にプレストレス等の応力を導入して補強する方法が考えられる。
しかしながら、既存のコンクリート提体等に削孔機によりケーブル挿通孔を開けて、コンクリート提体上部側に鋼製のアンカープレートと、定着金具を配置し、アンカーケーブルを緊張させ、定着させることにより、提体に大きな荷重を加えると、定着部分背後のコンクリート等のアンカーケーブル定着部分付近に大きな割裂き応力が働く。
【０００５】
特に、ダムや防波堤においては、コンクリート構造物である提体の自重により、該コンクリート構造物が受ける応力に抵抗しているため、該コンクリート構造物を形成するコンクリート自体の強度は一般的に低い。このようなコンクリート構造物のコンクリートへ大きな応力を加えると、クラックが発生しやすいという問題がある。
【０００６】
【特許文献１】特開平６−３３６７２７号公報
【発明の開示】
【発明が解決しようとする課題】
【０００７】
一方、コンクリート構造物を補強するにあたって、施工費用及び工期を少なくするためには、容量の大きい永久アンカーを用いて、永久アンカーの数を少なくするのが一番であるが、永久アンカーの数を少なくすると、永久アンカー１本当たりにかかる荷重が大きくなり、アンカーケーブルの定着部分背後のコンクリートにかかる割裂き応力も大きくなる。
その結果、該割裂き応力にコンクリートが耐えきれず、アンカーケーブルの定着部分背後にクラック等が生じ、コンクリート構造物が損傷することが懸念される。
このため、永久アンカーの数を増やして、応力を分散させなければならず、多大な施工費用や工期がかかるという問題が生じていた。
【課題を解決するための手段】
【０００８】
本発明は、上記課題を解決するためになされた発明であり、具体的には、以下のような構成を有する。
（１）コンクリート構造物の永久アンカーを用いた補強方法であって、アンカーケーブルを挿入するケーブル挿通孔を設ける工程、該ケーブル挿通孔のアンカーケーブル挿入口側に、該ケーブル挿通孔の孔径よりも大きな径の空間を設ける工程、該空間の内部に該ケーブル挿通孔と略同径のケーブル挿通管を設ける工程、該空間の内部であって該ケーブル挿通管の周囲に補強筋を配置する工程、該ケーブル挿通管の周囲にコンクリートを充填する工程、該ケーブル挿通管を通して該ケーブル挿通孔にアンカーケーブルを挿入する工程、及び、該ケーブル挿通孔にグラウトを充填する工程、及び、該アンカーケーブルに張力をかけて定着させる工程を有することを特徴とするコンクリート構造物の補強方法である。
（２）コンクリート構造物から、ケーブル挿通孔のアンカーケーブル挿入口側に設けられた空間にわたって、横鉄筋を配置する工程を有する前記（１）に記載のコンクリート構造物の補強方法である。
（３）補強筋を配置する工程が、補強筋を有するコンクリートブロックをケーブル挿通管の周囲に配置することによってなされる前記（１）から（２）のいずれかに記載のコンクリート構造物の補強方法。
（４）ケーブル挿通管の周囲に打設されたコンクリートが３０ｋＮ／ｍｍ2以上の強度を有する前記（１）から（３）のいずれかに記載のコンクリート構造物の補強方法である。
（５）ケーブル挿通孔のアンカーケーブル挿入口側に設けられた空間内に、アンカーヘッド及び防食キャップを収めた前記（１）から前記（４）のいずれかに記載のコンクリート構造物の補強方法である。
【発明の効果】
【０００９】
本発明は、以上の構成を採用することにより、容易にコンクリート構造物の補強が行え、かつ、コンクリート構造物の破損を招くことなく、コンクリート構造物の耐力を充分に向上させることができる。
また、アンカーヘッド３３や防食キャップ３７を、ケーブル挿通孔２３のアンカーケーブル挿入口側に設けた空間２４に収まるようにすることにより、アンカーケーブル定着部を通路等として使用しても、アンカーヘッド３３や防食キャップ３７が邪魔になることがない。
【発明を実施するための最良の形態】
【００１０】
本発明は、ビル等のコンクリート建築物、ダム、防波堤、防潮堤、橋梁、ＬＮＧタンク用ハイダイク等のコンクリート構造物、法面の崖崩れ等を防止するためのコンクリート構造物などのコンクリートを用いた構造物の補強方法であり、特に、強度の高いコンクリートの使用が必要とされていないダムや防波堤、防潮堤についての補強方法として有効である。
【００１１】
本発明は、コンクリート構造物の永久アンカー２２を用いた補強方法であって、アンカーケーブルを挿入するケーブル挿通孔２３を設ける工程、該ケーブル挿通孔のアンカーケーブル挿入口側に、該ケーブル挿通孔の孔径よりも大きな径の空間２４を設ける工程、該空間の内部に該ケーブル挿通孔と略同径のケーブル挿通管２５を設ける工程、該空間の内部であって該ケーブル挿通管の周囲に補強筋２８を配置する工程、該ケーブル挿通管の周囲にコンクリート２９を打設する工程、該ケーブル挿通管を通して該ケーブル挿通孔にアンカーケーブル２７を挿入する工程、及び、該ケーブル挿通孔にグラウト３８を充填する工程、及び、該アンカーケーブルに張力をかけて定着させる工程を有する補強方法であり、必要に応じてその他の工程を有する。
【００１２】
（ケーブル挿通孔を設ける工程）
前記ケーブル挿通孔２３を設ける工程は、通常、削孔機等により、コンクリート構造物から地中に存在する滑り線よりも深い部分まで、又は岩盤の中まで掘削することにより行われる。
【００１３】
（ケーブル挿通孔のアンカーケーブル挿入口側に、該ケーブル挿通孔より大きな径の空間を設ける工程）
前記ケーブル挿通孔２３のアンカーケーブル挿入口側に、該ケーブル挿通孔より大きな径の空間２４を設ける工程も、前記ケーブル挿通孔２３と同様に、削孔機等により行うことができる。
該空間は、主に、アンカーケーブル２７を緊張させることによる荷重を直接受ける部分である、アンカーケーブル頭部背後のコンクリートを補強するための補強筋２８を配置するためのものであり、該空間の形状や径は、補強筋の形状や大きさ等によって、適宜決めることができる。
また、前記ケーブル挿通孔２３及び該空間２４の内壁面をハンマー等により凹凸加工を施すことにより、コンクリート構造物２１とグラウト３８及びコンクリート構造物２１と打設されたコンクリート２９の一体化をより強固にすることができる。
【００１４】
（空間の内部に該ケーブル挿通孔と略同径のケーブル挿通管を設ける工程）
前記空間の内部に該ケーブル挿通孔と略同径のケーブル挿通管２５を設ける工程において、該ケーブル挿通管２５は、接着剤等を用いてケーブル挿通孔２３等に固定してもよいし、図６に示すようにケーブル挿通管２５にリブ２６を設けて固定してもよい。
また、ケーブル挿通管２５は、該ケーブル挿通管２５の周囲にコンクリート２９を打設した場合に変形しない程度の剛性を有していればよく、ケーブル挿通管２５の材質としては、合成樹脂でもよいし、金属でもよい。特に、金属製ケーブル挿通管を使用した場合には、アンカーケーブルにかける張力が非常に大きい場合でも、コンクリートの変形等を抑制できるため好ましい。
【００１５】
（ケーブル挿通管の周囲に補強筋を配置する工程）
前記空間の内部であって該ケーブル挿通管２５の周囲に補強筋２８を配置する工程において使用される補強筋２８の材料としては、一般に鉄筋等に使用される金属等が使用できる。
また、前記補強筋２８の形状としては、特に制限されないが、具体的には、スパイラル状や格子状などが挙げられる。
前記補強筋２８を配置することにより、アンカープレート３２の底部に位置するコンクリート２９の強度を向上させ、クラック等の発生を抑制することができる。
【００１６】
前記ケーブル挿通管２５の周囲に補強筋２８を配置する工程において、図８に示すように、予め補強筋を含有するコンクリートブロック（以下「補強筋含有コンクリートブロック」という）３０を用いることもできる。この際、前記補強筋含有コンクリートブロック３０の表面をハンマー等で凹凸になるように処理しておくと、該補強筋含有コンクリートブロック３０とコンクリート構造物２１との一体化をより強固に行うことができる。
前記補強筋含有コンクリートブロック３０を用いることによって、ケーブル挿通管２５の周囲にコンクリート２９を打設する際に、補強筋２８の位置がずれることなくコンクリート２９の打設が行える。
また、前記補強筋含有コンクリートブロック３０は、予め前記ケーブル挿通管２５を含有している補強筋含有コンクリートブロックを使用してもよい。このような補強筋含有コンクリートブロックは、例えば、円筒形の型の中心に前記ケーブル挿通管２５を配置し、該ケーブル挿通管２５を取り囲むように前記補強筋２８を配置し、該ケーブル挿通管２５の周囲にコンクリート２９を流し込んで固化させることにより得ることができる。予めケーブル挿通管２５と補強筋含有コンクリートブロック３０とを一体化させておくことにより、より施工の手間を省くことができる。
【００１７】
（ケーブル挿通管の周囲にコンクリートを打設する工程）
前記ケーブル挿通管２５の周囲にコンクリート２９を打設する工程では、前記ケーブル挿通管２５の上端までコンクリート２９が打設される。当該工程により、アンカープレート３２の底部に位置するコンクリート２９が打設される。
前記補強筋含有コンクリートブロック３０を用いた場合には、該補強筋含有コンクリートブロック３０と、コンクリート構造物２１と、の間にコンクリート２９を打設し、補強筋含有コンクリートブロック２１とコンクリート構造物２１との一体化を行うことができる。
【００１８】
前記コンクリート２９は、ＪＩＳ  Ａ  １１０８に準拠する方法により測定されるコンクリート打設後２８日目のコンクリート強度が、３０ｋＮ／ｍｍ2以上であることが好ましい。コンクリート強度を３０ｋＮ／ｍｍ2以上とすることによって、橋梁等に本発明の補強方法を適用した場合にも、充分な強度を発揮することができる。
また、前記補強筋含有コンクリートブロック３０を使用する場合には、前記補強筋含有コンクリートブロック３０のコンクリート部分を構成するコンクリートとして、ＪＩＳ  Ａ  １１０８に準拠する方法により測定されるコンクリート打設後２８日目のコンクリート強度が、３０ｋＮ／ｍｍ2以上であるコンクリートを使用すると好ましい。
【００１９】
（ケーブル挿通管を通してケーブル挿通孔にアンカーケーブルを挿入する工程）
前記ケーブル挿通管２５を通して該ケーブル挿通孔２３にアンカーケーブル２７を挿入する工程において、使用されるアンカーケーブル２７としては、一般に使用されているＰＣ鋼より線からなるアンカーケーブルが使用できる。
前記アンカーケーブルとして、ＰＣ鋼より線を使用する場合には、エポキシ樹脂等で被覆したＰＣ鋼より線を使用することにより、アンカーケーブルにおける錆の発生を抑制することができる。また、アンカーケーブルの一部をシースにより被覆したアンカーケーブルを用いることもできる。
【００２０】
（ケーブル挿通孔にグラウトを充填する工程）
前記ケーブル挿通孔２３にグラウト３８を充填する工程では、前記ケーブル挿通孔２３にグラウト３８をパイプやホース等を使って流し込むことにより行われる。ケーブル挿通孔２３の底面付近からグラウト３８を充填することにより、ムラなくグラウト３８を充填することができる。
前記アンカーケーブル２７として、一部をシース等で被覆した自由長部を有するアンカーケーブルを用いる場合には、アンカーケーブルのアンカー体長部を固定するための一次グラウトと、アンカーケーブルの自由長部を固定するための二次グラウトとに分けて充填することもできる。
【００２１】
（アンカーケーブルに張力をかけて定着させる工程）
前記アンカーケーブル２７に張力をかけて定着させる工程は、前記グラウト３８の硬化によって、少なくとも前記アンカーケーブル２７の地中側の先端が、ある程度固定された後に行われる。前記アンカーケーブル２７は、牽引等により張力をかけて、前記ケーブル挿入管２５の周囲に充填したコンクリート２９上に配置したアンカープレート３２及びアンカーヘッド３３に定着される。アンカーヘッド３３への定着は、ウェッジ等を用いて行われる。
【００２２】
グラウト３８を一次グラウトと二次グラウトとに分けて充填する場合には、一次グラウトによって、アンカー体長部を固定した後、アンカーケーブルに牽引等により張力をかけて、アンカーケーブルを定着させた後、二次グラウトが充填される。
また、一次グラウトと二次グラウトとは、同じグラウトを使用してもよいし、異なるグラウトを使用してもよい。
【００２３】
（コンクリート構造物からケーブル挿通孔のアンカーケーブル挿入口側に設けられた空間にわたって横鉄筋を配置する工程）
前記コンクリート構造物２１からケーブル挿通孔２３のアンカーケーブル挿入口側に設けられた空間にわたって横鉄筋３１を配置する工程を設ける場合には、ケーブル挿通孔２３のアンカーケーブル挿入口側に該ケーブル挿通孔の孔径よりも大きな径の空間２４を設ける工程と、ケーブル挿通管２５の周囲にコンクリート２９を打設する工程との間に設けることができる。
前記横鉄筋３１を配置することにより、ケーブル挿通管２５の周囲に打設したコンクリート２９とコンクリート構造物２１との一体化をより強固にすることができ、より大きな容量のアンカーケーブルにも対応できる。
前記横鉄筋３１に使用できる鉄筋としては、特に制限されることはなく、種々の鉄筋が使用できる。
【００２４】
（その他の工程）
また、アンカーケーブル等の防食や防錆をするために、アンカーケーブルの定着部付近を防食処理することもできる。
前記アンカーケーブル等の防食処理としては、ケーブル挿通孔２３内に、グラウト３８の間に図９及び図１０に示すジョイント管３５を設け、該ジョイント管３５内にグリース等の防食剤を充填したり、ジョイント管３５内に発泡ウレタンフォームを形成させる等により行うことができる。これにより、アンカーケーブル定着部周辺からの水の侵入等を防止し、アンカーケーブルの防食及び防錆を行うことができる。
前記アンカーヘッド３３の防食処理としては、図９及び図１０に示す防食キャップ３７を前記アンカーヘッド３３に被せ、該防食キャップ３７内に防食剤を充填することにより行うことができる。これにより、アンカーヘッド３３自体の防食及び防錆を行うとともに、アンカーヘッド３３に設けられた孔等からケーブル挿通孔への水の侵入等を防止し、アンカーケーブル等の防食及び防錆を行うことができる。
【００２５】
ケーブル挿通孔２３のアンカーケーブル挿入口側に設けられた空間２４を大きめに設け、該空間２４内に、アンカーヘッド３３及び防食キャップ３７を収めることにより、アンカーヘッド３３や防食キャップ３７が邪魔になることがない。
前記空間内であってアンカーヘッド３３や防食キャップ３７等が占める以外の空間にコンクリート等を充填することによって、永久アンカーを設ける前と同様に、永久アンカー設置個所を通路等として使用することができる。また、前記コンクリート等の充填を行わずに、前記空間上に開閉自在な蓋等を設けることによって、永久アンカーを設ける前と同様に、永久アンカー設置個所を通路等として使用でき、かつ、永久アンカーのメンテナンス等も容易に行うことができる。
【００２６】
ダムや防波堤に永久アンカーを用いて補強をする場合には、図３に示すように提頂部から永久アンカーを設けてもよいし、図４に示すようにダム提体のり面から永久アンカーを設けてもよい。また、ダムの提体の内部に設けられた空洞（ギャラリー）等から永久アンカーを設けることにより、削孔作業や永久アンカーの設置作業を容易にすることができる。
【実施例】
【００２７】
（実施例１）
横幅２．５ｍ、高さ３５ｍの重力式コンクリートダムの提体において、提頂部から提体の地下に存在する岩盤まで、直径３２５ｍｍ、深さ５０ｍ（提体部分：３５ｍ、地中部分：１５ｍ）となるように、ケーブル挿通孔２３を削孔機により設けた。
次に、提頂部に、前記ケーブル挿通孔２３と同軸方向で、断面同心円に、直径１１００ｍｍ、深さ１６００ｍｍの空間２４を設けた。
前記ケーブル挿通孔２３及び前記空間２４の内壁面に、ハンマー等で凹凸加工を施した。
前記ケーブル挿通孔に２００ｍｍ埋まるように、ケーブル挿通管２５を挿入し、エポキシ系接着剤により固定した。なお、ケーブル挿通管２５は、  長さ１２５０ｍｍ、外径３１８．５ｍｍ、厚み６．９ｍｍのＪＩＳ  Ｇ  ３４５２  ＳＧＰ３００の鋼管パイプを用いた。
前記ケーブル挿通管２５の外側に補強筋２８を配置した。前記補強筋２８として、直径２２ｍｍの異形鉄筋でピッチ７０ｍｍ、巻き数１２段、巻き径６３０ｍｍのスパイラル状鉄筋を用いた。
【００２８】
前記ケーブル挿通管２５にコンクリートが流れ込まないように、前記ケーブル挿通管上面に蓋をしてから、前記ケーブル挿通管２５の周囲に、前記ケーブル挿通管の上端部まで、コンクリート２９を流し込み、コンクリートを打設した。打設時のコンクリートにおいて、コンクリート１ｍ3当たりの各原料の配合量は、表１に示す通りであった。
表１に示すコンクリートは、打設後２８日目に測定したＪＩＳ  Ａ  １１０８に準拠する測定方法によるコンクリート硬度が３４ｋＮ／ｍｍ2であった。
【００２９】
【表１】
2006219829.tif 000003
ただし、セメントポルトランドセメントは、水／セメント比が６５％であり、細骨材における粗骨材最大寸法は１０ｍｍであった。また、得られたセメント中の空気量は４体積％であり、全骨材容積は、５５．５体積％であった。
【００３０】
アンカーケーブルとして、エポキシ樹脂で被覆したＰＣ鋼より線の一部分を、１．５ｍｍのクリアランスをとってＰＥシースで被覆した、自由長部とアンカー体長部を有するアンカーケーブルを用いた。前記アンカーケーブルの規格破断荷重は、２６１ｋＮであった。
前記アンカーケーブル２７を、ケーブル挿通管２５を通してケーブル挿通孔２３に挿入した。
グラウトをケーブル挿通孔２３に充填した。前記グラウトの充填は、グラウトホース（直径２７ｍｍ）を用いて、ケーブル挿通孔の底からグラウトが上がってくるように充填した。また、前記グラウトは、ジョイント管の挿入領域を確保するために、ケーブル挿通管の上端から３００ｍｍの部分まで充填した。前記グラウトの圧縮強度は、２６Ｎ／ｍｍ2であった。また、充填時のグラウトにおいて、グラウト１ｍ3当たりの各原料の配合量（ｋｇ）は、表１に示す通りであった。
【００３１】
【表２】
2006219829.tif 000004
ただし、セメントポルトランドセメントは、水／セメント比が４５％のものを使用した。
【００３２】
ケーブル挿通管２５の周囲に打設したコンクリート２９の上面に、一辺が６００ｍｍの正方形で、厚みが１１０ｍｍのアンカープレート３２を配置した。
前記アンカープレート３２の上面からアンカープレートを通して、前記ケーブル挿通管の内側に、上端につばを有し底面にアンカーケーブルを挿通できる止液ゴム３６を有するジョイント管３５を配置した。
また、図９に示すように、前記ジョイント管３５の上面に、アンカーヘッド３３を配置し、該アンカーヘッドの孔にアンカーケーブルを挿通し、アンカーヘッドの孔とアンカーケーブルの間にウェッジ３４を配置してアンカーケーブル２７を固定し、アンカーヘッド上面からアンカーケーブルが５０ｍｍ突出させるように、アンカーケーブルを切断した。
前記アンカーヘッドとしては、アンカーケーブルを構成するＰＣ鋼より線が１本ずつ通すための孔を有し、機械構造用炭素鋼（ＪＩＳ  Ｇ  ４０５１  Ｓ４５Ｃ）からなる円筒状（外径３６０ｍｍ、高さ１８０ｍｍ）のものを使用した。
【００３３】
前記アンカーケーブルに、規格破断荷重の６０％の荷重（２６１ｋＮ×３１本×０．６＝４８５５ｋＮ）をかけ、ジョイント管３５の内部に防食剤としてグリースを充填し、アンカーケーブル等の防食及び防錆を行った。
また、アンカーヘッド３３に防食キャップ３７を被せ、防食キャップ内にペトロラクタム系のグリースを充填した。
前記空間内であってアンカーヘッドや防食キャップ等が占める以外の空間にコンクリート等を充填した。
【００３４】
（実施例２）
ケーブル挿通管２５の外側に補強筋２８を配置する代わりに、ケーブル挿通管２５の外側に補強筋含有コンクリートブロック３０を配置した以外は、実施例１と同様に行った。
前記補強筋含有コンクリートブロック３０としては、直径２２ｍｍ、ピッチ７０ｍｍ、巻き数１２段の異形鉄筋を、直径８００ｍｍ、高さ１６００ｍｍの円筒形であって中心に直径３５０ｍｍ、高さ１６００ｍｍの円筒形空洞を有するコンクリートブロック中に有するものを使用した。
該コンクリートブロックに使用したコンクリートは、実施例１において、ケーブル挿通管の周囲に打設したコンクリートと同じ配合のコンクリートを用いた。
【００３５】
（実施例３）
空間２４を設けた後、該空間の壁面に小型ドリルで孔をあけ、該孔にモルタルを詰めて、モルタルが柔らかいうちに、断面直径２０ｍｍ、長さ１０ｃｍの鉄筋を５ｃｍ挿入し、その後、ケーブル挿通管２５及び補強筋２８を配置した以外は、実施例１と同様に行った。
【産業上の利用可能性】
【００３６】
本発明のコンクリート構造物の補強方法は、既存のダムや防波堤、防潮堤、ＬＮＧタンク用のハイダイク、一般建築物といったコンクリート構造物の補強に使用できる。
【図面の簡単な説明】
【００３７】
【図１】従来のダムコンクリート構造物の補強方法を示す模式断面図である。
【図２】従来のコンクリート構造物の補強方法をダムコンクリート構造物に使用した場合の模式断面図である。
【図３】本発明の補強方法をダムコンクリート構造物に使用した場合の模式断面図である。
【図４】本発明の補強方法をダムコンクリート構造物に使用した場合の模式断面図である。
【図５】本発明の補強方法を実施する途中を示す断面図である。
【図６】本発明の補強方法の一例を使用した場合のアンカーケーブル定着部付近の断面図である。
【図７】本発明の補強方法の一例を使用した場合のアンカーケーブル定着部付近の断面図である。
【図８】本発明の補強方法の一例を使用した場合のアンカーケーブル定着部付近の断面図である。
【図９】本発明の補強方法の一例を使用した場合のアンカーケーブル定着部付近の断面図である。
【図１０】本発明の補強方法の一例を使用した場合のアンカーケーブル定着部付近の断面図である。
【符号の説明】
【００３８】
１１    既存のダムコンクリート構造物（提体）
１２    補強用コンクリート構造物
１３    アンカーヘッド
２１    既存のコンクリート構造物（提体）
２２    永久アンカー
２３    ケーブル挿通孔
２４    空間
２５    ケーブル挿通管
２６    リブ
２７    アンカーケーブル
２８    補強筋
２９    コンクリート
３０    補強筋含有コンクリートブロック
３１    横鉄筋
３２    アンカープレート
３３    アンカーヘッド
３４    ウェッジ
３５    ジョイント管
３６    止液ゴム
３７    防食キャップ
３８    グラウト
【図１】
2006219829.tif 000005
【図２】
2006219829.tif 000006
【図３】
2006219829.tif 000007
【図４】
2006219829.tif 000008
【図５】
2006219829.tif 000009
【図６】
2006219829.tif 000010
【図７】
2006219829.tif 000011
【図８】
2006219829.tif 000012
【図９】
2006219829.tif 000013
【図１０】
2006219829.tif 000014